(57)【特許請求の範囲】
【請求項１】
筒状のサムターン本体に設けられ、錠前の施錠を行う施錠位置と前記錠前の解錠を行う解錠位置との間に亘って相対回動するサムターンカムと、
該サムターンカムとは一体回動可能に設けられ、前記サムターン本体に対しては相対回動可能に収納されるサムターン軸手段と、
前記サムターン本体に起倒自在に設けられ、起立時には前記サムターン軸手段を介して前記サムターンカムの回動が可能となる操作可能位置に、倒れたときには前記サムターン軸手段および前記サムターンカムの回動が制限される操作制限位置の二位置に作動するツマミと、
前記サムターン軸手段と前記ツマミとの間の前記サムターン本体内部に設けられ、起立時における前記ツマミが回動するのを拘束する回動制御手段を有するクラッチ機構と、を具備すると共に、
前記ツマミは、前記操作可能位置において、前記回動制御手段による拘束から解放された状態では、前記サムターン軸手段を介して前記サムターンカムを前記施錠位置または前記解除位置まで回動されることを許可する施解錠許可位置、および、前記回動制御手段による拘束状態では、前記サムターン軸手段を介して前記サムターンカムを前記施錠位置または前記解除位置まで回動されることを禁止する施解錠禁止位置の操作モードを採るように構成され、
前記ツマミを、前記操作可能位置まで起立させ、該操作可能位置において前記回動制御手段による拘束から解放させる前記施解錠許可位置に移動させ、該施解錠許可位置において回動させることにより、前記サムターンカムを前記施錠位置または前記解除位置まで回動可能とすることを特徴とする、
サムターン。
【請求項２】
前記サムターン軸手段は、
前記サムターンカムとは一体回動可能に設けられ、前記サムターン本体に対しては相対回動可能に収納された第１サムターン軸と、
前記第１サムターン軸に相対回動可能に収納された第２サムターン軸と、で形成されると共に、
前記クラッチ機構に、
前記第２サムターン軸の軸方向に進退動作して前記回動制御手段と係脱する一方で、前記第２サムターン軸および前記第１サムターン軸を同時に回動する連結子を設けたことを特徴とする、
請求項１に記載のサムターン。
【請求項３】
前記第２サムターン軸と前記連結子との間に付勢部材を設け、前記ツマミが前記操作可能位置における前記施解錠許可位置および前記施解錠禁止位置のいずれの操作モードであっても、常時前記連結子が前記付勢部材の付勢力により前記ツマミに回動可能な状態で弾接することを特徴とする、
請求項２に記載のサムターン。
【請求項４】
前記回動制御手段は、前記連結子が進退動作する中心穴を有するリング状のカバーであり、該中心穴に前記施錠位置と前記解錠位置とに対応して刻設された切欠きを備え、前記ツマミの操作モードが前記施解錠禁止位置の場合は、前記連結子は前記切欠きに係合して回動が拘束され、前記施解錠許可位置にする場合は、前記連結子は前記切欠きとの係合から解脱して回動が可能となるように構成したことを特徴とする、
請求項２または３に記載のサムターン。
【請求項５】
前記連結子に前記スライド方向に略直交する方向に突出するカムピンを設け、前記第１サムターン軸に前記カムピンのスライドを規定するガイド溝を形成し、前記第２サムターン軸に前記カムピンとカム接触するカム穴を設けたことを特徴とする、
請求項２〜４のいずれか１項に記載のサムターン。
【請求項６】
前記クラッチ機構は、前記カム穴を形成した前記第１サムターン軸、前記ガイド溝を設けた前記第２サムターン軸、前記カムピンを設けた前記連結子、前記付勢部材、および前記中央穴に切欠きを形成した前記カバーで構成されたことを特徴とする、
請求項５記載のサムターン。
【請求項７】
前記ツマミは、前記操作可能位置から前記操作制限位置へ常時復帰するように付勢されるツマミ付勢部材を有することを特徴とする、
請求項１〜６のいずれか１項に記載のサムターン。
【請求項８】
前記第１サムターン軸と前記第２サムターン軸との間に、前記施錠位置および前記解錠位置のいずれかの回動位置を保持する回動位置保持手段を設けたことを特徴とする、
請求項２〜７のいずれか１項に記載のサムターン。
【発明の詳細な説明】
【技術分野】
【０００１】
本発明は、不正な解錠を防止することが可能なサムターンに関する。
【背景技術】
【０００２】
従来、扉の屋内（室内）側に取り付けられ、ツマミを把持して回転させることによって扉の錠前の施錠および解錠を行うサムターンが広く知られている。近年、扉に設けられた窓、扉の隙間、郵便受け等から工具等を挿入し、サムターンのツマミを回転させて錠前を不正に解錠する、いわゆる「サムターン回し」が問題となっている。
【０００３】
このような従来の問題を解決する一手段として、例えば特許文献１には、ツマミの近傍に設けられた一対のボタンが同時に押された場合にだけツマミの回転を許容し、錠前の施錠および解錠を可能としたサムターンが提案されている。
【０００４】
また、特許文献２および特許文献３のように、ツマミの裏側にクラッチ機構を設けた構成を有し、屋内側からはクラッチ機構を介して錠前の施解錠を行い、室外側からはクラッチ機構の断接とは無関係に解錠できる技術が開示されている。これにより、屋内側から錠前を施錠または解錠する場合には、ツマミを起立させ、次いで、ツマミを押し込んで上記クラッチ機構を接続状態にし、その状態で、ツマミを回動することで行われる。
【特許文献１】特開２００６−１６９９４６号公報
【特許文献２】特開２００３−５６２２０号公報
【特許文献３】特開２００６−５７２８６号公報
【発明の開示】
【発明が解決しようとする課題】
【０００５】
しかしながら、上記特許文献１に記載のサムターンは、一対のボタンを押しながらツマミを回転させる必要があり、施錠または解錠の操作が煩雑で、操作性が悪いといった問題点があった。
【０００６】
また、上記特許文献２および特許文献３のサムターンにあっては、ツマミを起立状態にし、そのまま押し込むだけで、クラッチ機構を容易に接続でき、しかも、ツマミをフリーに回動できる構造であるので、サムターン回し対策には必ずしも有利とならない問題がある。
【０００７】
本発明は、このような問題点を解決するためになされたものであって、施錠および解錠の操作性を低下させることなく、不正な解錠を確実に防止することができるサムターンを提供することを目的とする。
【課題を解決するための手段】
【０００８】
本発明は、以下の手段によって、上記課題を解決したものである。
(１)本発明は、筒状のサムターン本体に設けられ、錠前の施錠を行う施錠位置と前記錠前の解錠を行う解錠位置との間に亘って相対回動するサムターンカムと、該サムターンカムとは一体回動可能に設けられ、前記サムターン本体に対しては相対回動可能に収納されるサムターン軸手段と、前記サムターン本体に起倒自在に設けられ、起立時には前記サムターン軸手段を介して前記サムターンカムの回動が可能となる操作可能位置に、倒れたときには前記サムターン軸手段および前記サムターンカムの回動が制限される操作制限位置の二位置に作動するツマミと、前記サムターン軸手段と前記ツマミとの間の前記サムターン本体内部に設けられ、起立時における前記ツマミが回動するのを拘束する回動制御手段を有するクラッチ機構とを具備すると共に、前記ツマミは、前記操作可能位置において、前記回動制御手段による拘束から解放された状態では、前記サムターン軸手段を前記施錠位置または前記解除位置まで回動されることを許可する施解錠許可位置、および、前記回動制御手段による拘束状態では、前記サムターン軸手段を前記施錠位置または前記解除位置まで回動されることを禁止する施解錠禁止位置の操作モードを採るように構成されたことを特徴とする、サムターンである。
【０００９】
本発明によれば、ツマミが回動制御手段による拘束から解放された場合には、ツマミは施解錠許可位置の操作モードを採るので、サムターン軸手段をクラッチ機構の作動により、施錠位置または解錠位置へ自由に回動させることができる。ツマミが回動制御手段による拘束から解放されない場合には、ツマミは施解錠禁止位置の操作モードとなるので、クラッチ機構は作動せず、したがって、サムターン軸手段は回動操作できない。このように、クラッチ機構に回動制御手段を設けたので、サムターン回しを有効に撃退することが可能となる。
【００１０】
(２)本発明はまた、前記サムターン軸手段は、該サムターンカムとは一体回動可能に設けられ、前記サムターン本体に対しては相対回動可能に収納された有底形状の第１サムターン軸と、該第１サムターン軸に相対回動可能に収納された有底形状の第２サムターン軸とで形成されると共に、前記クラッチ機構に、第２サムターン軸の軸方向に進退動作して前記回動制御手段と係脱する一方で、前記第２サムターン軸および前記第１サムターン軸を同時に回動する連結子を設けたことを特徴とする、前記(１)記載のサムターンである。
【００１１】
この構成によれば、ツマミの操作により、連結子を第２サムターン軸に進退動作させる。このとき、連結子はクラッチ機構に設けた回動制御手段に係脱する。このため、連結子が回動制御手段に係合する場合には、ツマミは施錠または解錠のいずれの位置にも回動できない。連結子と回動制御手段との係合が解脱したときに、ツマミは回動可能となるので、第１、第２両サムターン軸を同時に回動することができるようになる。
【００１２】
(３)本発明はまた、前記第２サムターン軸と前記連結子との間に付勢部材を設け、ツマミが前記操作可能位置における前記施解錠許可位置および前記施解錠禁止位置のいずれの操作モードであっても、常時前記連結子が前記付勢部材の付勢力により前記ツマミに回動可能な状態で弾接することを特徴とする、前記(２)に記載のサムターンである。
【００１３】
係る構成によれば、ツマミが操作可能位置にある場合には、ツマミを付勢部材の付勢力に抗して押し込むことより、連結子は第２サムターン軸の有底部に向かって後退する。これにより、回動制御手段から連結子が解脱し、連結子に作用するツマミからの回動操作力に応じて第１、第２両サムターン軸が同時に回動するようになる。
【００１４】
(４)本発明はまた、前記回動制御手段は、前記連結子が進退動作する中心穴を有するリング状のカバーであり、該中心穴に前記施錠位置と前記解錠位置とに対応して刻設された切欠きを備え、前記ツマミの操作モードが前記施解錠禁止位置の場合は、前記連結子は前記切欠きに係合して回動が拘束され、前記施解錠許可位置にする場合は、前記連結子は前記切欠きとの係合から解脱して回動が可能となるように構成したことを特徴とする、前記(２)または(３)に記載のサムターンである。
【００１５】
この発明によれば、カバーの中心穴を進退動作する連結子が、施錠位置に応じる切欠き、または解錠位置に応じる切欠きに係合することで、連結子は回動を阻止される。このため、ツマミによる回動操作力が連結子に作用しても、連結子は、その回動を回動制御手段により拘束されているので、回動することはない。連結子が切欠きから抜け出すこと（解脱）により、拘束から解放され、自由に回動可能となり、ツマミ操作による施解錠を行うことができるようになる。
【００１６】
(５)本発明はまた、前記連結子に前記スライド方向に略直交する方向に突出するカムピンを設け、前記第１サムターン軸に前記カムピンのスライドを規定するガイド溝を形成し、前記第２サムターン軸に前記カムピンとカム接触するカム穴を設けたことを特徴とする、前記(２)〜(４)のいずれかに記載のサムターンである。
【００１７】
本発明によれば、サムターン側からの駆動か、錠前側（シリンダ側）からの駆動かを判断する構成を設けた。このため、連結子のカムピンがガイド溝とカム穴に遊挿されるので、連結子の回転力は、カムピンを介して第２サムターン軸から第１サムターン軸へ伝達され、サムターンカムを回動させることが可能となる。また、サムターンカム側から、すなわち、錠前側（錠前のシリンダ側）から解錠に伴う操作力が作用すると、第１サムターン軸が回動する。これにより、カムピンも回動しようとするが、このとき、カムピンはカム穴によるカム形状効果を受けて連結子は強制的に第２サムターン軸の底部側へ回動しながら後退する。これにより、連結子は回動制御手段による拘束から解脱し、ツマミは施錠状態から解錠状態へ回動復帰する。
【００１８】
(６)本発明はまた、前記クラッチ機構は、前記カム穴を形成した前記第１サムターン軸、前記ガイド溝を設けた前記第２サムターン軸、前記カムピンを設けた前記連結子、前記付勢部材、および前記中央穴に切欠きを有する前記カバーで構成されたことを特徴とする、前記(５)記載のサムターンである。
【００１９】
本発明によれば、コンパクトなクラッチ機構を得ることができ、かつ、クラッチ機構を設けたことで、サムターン回しにとっては、困難な操作性を伴うが、ユーザにとっては簡単なツマミ操作でサムターン回し対策を講じることができ、有利となる。
【００２０】
(７)本発明はまた、前記ツマミは、前記操作可能位置から前記操作制限位置へ常時復帰するように付勢されるツマミ付勢部材を有することを特徴とする、前記(２)〜(６)のいずれかに記載のサムターンである。
【００２１】
本発明によれば、ツマミ付勢部材により、ツマミは常に倒れた状態に付勢されるので、サムターンの外観における見栄えを向上できるようになる。
【００２２】
(８)本発明はまた、前記第１サムターン軸と前記第２サムターン軸との間に、前記施錠位置および前記解錠位置のいずれかの回動位置を保持する回動位置保持手段を設けたことを特徴とする、前記(２)〜(７)のいずれかに記載のサムターンである。
【００２３】
本発明によれば、ツマミを施錠位置から解錠位置へ、また、解錠位置から施錠位置へと回動操作する場合に、回動位置保持手段により、中間位置にツマミが停留することはなく、施錠位置か解錠位置のいずれかに節度感をもって位置決め保持されるので、施解錠時における操作フィーリングを向上できるようになる。
【発明の効果】
【００２４】
本発明に係るサムターンによれば、施錠および解錠の操作性を低下させることなく、不正な解錠を確実に防止できると共に、少ない部品点数で簡単な構成で、外観体裁の優れた低コストのサムターンを得ることができる。
【発明を実施するための最良の形態】
【００２５】
以下、本発明に係るサムターンの実施形態を、図を参照して詳述する。先ず、図１〜図４に基づいて本実施形態におけるサムターンの外観構成の概要を説明し、その後に図５以降の図面によりその内部構造である駆動部、ツマミ等の詳細を説明していくこととする。
【００２６】
サムターン１０の外部構成は、主として、サムターン座２０と、図示されない錠前の施錠を行う施錠位置と、錠前の解錠を行う解錠位置との間を回動可能に形成したサムターンカム３０（図４参照）と、このサムターンカム３０を回動させる後述の駆動部４０（図６参照）と、施錠または解錠の操作を行う操作部としての起倒自在に形成されるツマミ５０と、ツマミ５０を搭載するキャップ５１とでなり、図２に示すように、サムターン座２０へ取付ネジ２１によりサムターン本体４１が締結され、これにキャップ５１が取付ネジ２２により締結されることで、サムターン１０が組み立てられる。
【００２７】
図１はサムターン１０を扉１２の室内側（屋内側）に取り付けた状態を示す外観斜視図である。
【００２８】
サムターン１０の操作部材としてのツマミ５０を操作してサムターンカム３０を施錠位置まで回動すると、錠前のデッドボルト１４が扉１２の外側に突出し、扉１２は施錠状態となる。一方、サムターン１０のツマミ５０を起立させた状態（例えば、図２参照）で操作してサムターンカム３０を解錠位置まで回動すると、錠前のデッドボルト１４が扉１２の内側に引っ込んで、扉１２は解錠状態となる。なお、本発明に係る錠前の構造は、特に限定されるものではなく、サムターンカム３０の回動によって施錠および解錠が可能な従来公知の錠前を採用することができるものである。
【００２９】
＜サムターン座＞
サムターン座２０について説明する。図３(ａ)はサムターン座を前方からみた外観斜視図、同（ｂ）はサムターン座２０を後方からみた外観斜視図である。
【００３０】
このサムターン座２０は、円柱形状の内壁２０Ａと、前方から後方に向かって大径となる側面視が台形形状の外壁２０Ｂを有して構成されている。内壁２０Ａの後方（錠前方向）開口部には、後方開口部の中心に向かって突出する環状のスプリング受け２０Ｃが形成されている。
【００３１】
＜サムターンカム＞
次に、サムターンカム３０について説明する。図４はサムターンカム３０の三面図であり、サムターンカム３０は、環状部３０Ａと、この環状部３０Ａを基端として環状部３０Ａの径方向外側に向かって突出成形されると共に、略Ｌ字形状に折曲げられた２つの操作片３０Ｂによって構成されている。サムターンカム３０の環状部３０Ａには、その内周部に操作片３０Ｂと逆方向に突出された平面視が略Ｖ字形状の凸部３０Ｃが形成されている。この凸部３０Ｃを、後述する第１サムターン軸４２に嵌め込み、図６に示す止め輪６４を介して取り付けることで、サムターンカム３０は第１サムターン軸４２と一体に、錠前の施錠を行う施錠位置と、錠前の解錠を行う解錠位置との間に亘って回動できるようになっている。そして、サムターンカム３０の操作片３０Ｂは、図示されない錠前の施解錠機構に係合可能に配置され、サムターンカム３０の回動によって錠前の施錠または解錠が行われる。
【００３２】
＜駆動部＞
以下において、サムターンの内部構造としての駆動部の構成を、図５〜図１０を参照して説明していく。図５はサムターン１０の正面図、図６は図５のＡ線における矢視平断面図、図７は図６のＢ線における矢視横断面図、図８は図６のＣ線における矢視横断面図、図９はサムターン座を示す外観斜視図、図１０はサムターン本体とサムターン座とを省略して駆動部におけるクラッチ機構を示す外観斜視図である。
【００３３】
駆動部４０はサムターン座２０に内蔵され、その構成要素は図６に示されるように、主として、サムターン本体４１と、サムターン軸手段としての第１サムターン軸４２および第２サムターン軸４３と、第２サムターン軸４３内をその軸方向に進退動作（スライド）する連結子４４と、ツマミ５０の回動を拘束あるいは許容する回動制御手段としてのリング状のカバー４５とで構成される。
【００３４】
＜サムターン本体＞
サムターン本体４１は図９に示すように、円筒形状の本体部４１Ａと、本体部４１Ａの一端側に一体に成形されたフランジ部４１Ｂによって構成されている。本体部４１Ａの内側には、開口部４１Ｆが形成され、そこに有底形状の第１サムターン軸４２が収納されるようになっている。
【００３５】
サムターン本体４１の外周には段部４１Ｋが形成され、スプリング受け２０Ｃ（図３参照）と段部４１Ｋとの間にコイルスプリング５２を縮設してサムターン本体４１をサムターン座２０に収納している。これにより、サムターン本体４１は、コイルスプリング５２の付勢力により常時サムターン座２０から遠ざかる方向に付勢される。
【００３６】
＜第１サムターン軸＞
第１サムターン軸４２は、図６，図７，図１０に示されるように、その基本形態は一端が開口し、他端を有底に形成した円柱形状をなし、内部空所に形成される略四角形状の内周４２Ｃに円柱形状に形成された第２サムターン軸４３が回動可能に収納される（図７参照）。また、第１サムターン軸４２の外周には、後述する連結子４４に突設されたカムピン４４Ａとカム接触可能な略三角形状ないしはおむすび形状のカム穴４２Ａと、連結子４４の回動を許容する凹部４２Ｂとが交互に設けられる。
【００３７】
また、第１サムターン軸４２の底部は、サムターン本体４１の開口部４１Ｆから突出させ、そこでサムターンカム３０が止め輪６４により脱落しないように位置決め固定される（図６参照）。こうして、サムターン本体４１内で第１サムターン軸４２が相対回動すると、サムターンカム３０も一体に回動するようになっている。
【００３８】
＜第２サムターン軸＞
第２サムターン軸４３は、第１サムターン軸４２と同様に有底構造を有し、第２サムターン軸４３の直径を含んで軸方向に刻設される縦割り溝４３Ａと、カムピン４４Ａが軸方向へスライドするように規定されるガイド溝４３Ｂとが設けられる。
【００３９】
また、第１サムターン軸４２と第２サムターン軸４３との間には、施錠位置または解錠位置を保持する回動位置保持手段が構成される。すなわち、図７に示されるように、第２サムターン軸４３の底部には、直径方向にトンネルが穿たれ、そこにコイルスプリング４３Ｃが設けられる。コイルスプリング４３Ｃの両端と内周４２Ｃとの間にコロ４３Ｄが配置され、コイルスプリング４３Ｃの付勢力によりコロ４３Ｄが、第１サムターン軸４２側の内部空所の角部に節度感を持って停留するようにしている。内周４２Ｃ、コイルスプリング４３Ｃ、およびコロ４３Ｄにより、施錠位置または解錠位置のいずれかの回動位置を保持する回動位置保持手段が構成されることとなる。
【００４０】
したがって、第２サムターン軸４３が回動すると、コロ４３Ｄはコイルスプリング４３Ｃにより内周４２Ｃに弾接しながら転動し、第２サムターン軸４３が施錠位置または解錠位置へ回動操作されて落ち着いた場合には、コロ４３Ｄは必ず図７で示すように、内周４２Ｃの角部に停留するようになっている。
【００４１】
＜連結子＞
連結子４４は、平面凸形状の肉厚で形成された板状片であり、第２サムターン軸４３の縦割り溝４３Ａにスライド自在に設けられる。連結子４４には、上記ガイド溝４３Ｂおよびカム穴４２Ａに臨むように、スライド方向に略直交する方向に突出する左右一対のカムピン４４Ａが設けられる。また、連結子４４は、後述するカバー４５に係脱する肩部４４Ｂと、後述するツマミ５０に係脱する頂部４４Ｃとを有する（図１０参照）。
【００４２】
連結子４４と第２サムターン軸４３の底部との間に、コイルスプリング４４Ｄが縮設され、常時その付勢力により連結子４４をカバー４５，すなわち、ツマミ５０方向へ付勢している（図６参照）。
【００４３】
＜カバー＞
回動制御手段であるカバー４５は、図２に示されるように、サムターン本体４１の位置決め用突起４１Ａで位置決めして装着し、ネジ２３により固定してサムターン本体４１に設けることで構成される。第１、第２両サムターン軸４２，４３の開口端側がカバー４５で蓋をされると、連結子４４の肩部４４Ｂはコイルスプリング４４Ｄの付勢力より常時カバー４５の裏面側に弾接するように付勢されることとなる。
【００４４】
一方、カバー４５の中心部には、十文字形状の切欠き４５Ａが刻設され、連結子４４が切欠き４５Ａを介して出入りできる。このため、図１０（Ｂ）のように連結子４４の肩部４４Ｂが切欠き４５Ａから出っ張る場合には、連結子４５，すなわち、第２サムターン軸４３の回動が拘束され、肩部４４Ｂが切欠き４５Ａから後退してカバー４５の背面側に引っ込む場合には、拘束から解放され、第２サムターン軸４３の回動が自由に行われる。こうして、後述するクラッチ機構の一要素である回動制御手段としてのカバー４５により、連結子４５を通じて第２サムターン軸４３の回動が制御される。
【００４５】
＜クラッチ機構＞
こうして、上記カム穴４２Ａを形成した第１サムターン軸４２，ガイド溝４３Ｂを設けた第２サムターン軸４３，カムピン４４Ａを有する連結子４４，付勢手段であるコイルスプリング４４Ｄ、切欠き４５Ａを形成したカバー（回動制御手段）４５により、駆動部４０にクラッチ機構が構成されることとなる。
【００４６】
すなわち、通常状態では、図１０（ｂ）に示すように、連結子４４の肩部４４Ｂは切欠き４５Ａを通してカバー４５の外部に出っ張った状態にある、換言すると、連結子４４は切欠き４５Ａに係合しているので、回動させることができす、クラッチ機構が断じられた状態にある。この状態から、連結子４４にツマミ５０から押し込む操作力が作用した場合には、同(Ｃ)のように肩部４４Ｂはカバー４５の裏側へ後退するので、連結子４４は回動可能な状態、すなわち、クラッチ機構が接続された状態となる。こうして、ツマミ５０を押し込みながら連結子４５を回すと、同(ｄ)に示すように、カムピン４４Ａはカム穴４２Ａにカム接触しながら第１、第２両サムターン軸４２，４３を同じ方向に連動して回動させ、サムターンカム３０を施錠位置または解錠位置へ回動できるようになる。
【００４７】
なお、図１１に示すように、錠前側からサムターンカム３０に解錠する操作力が作用した場合には、第１サムターン軸４２が回動し、カム穴４２Ａにカム接触するカムピン４４Ａを介して連結子４４が、コイルスプリング４４Ｄの付勢力に抗して強制的にカバー４５から解脱してサムターンカム３０側へ後退する。換言すると、クラッチ機構は断切状態から接続状態に動作し、錠前側からでも解錠操作を行うことができるようになっている。
【００４８】
＜ツマミ＞
次に、上記連結子４４に操作力を伝達するツマミ５０の構成を、関係する図５，図６，図８、図１２，図１３に基づいて説明する。すなわち、ツマミ５０は、軸５２を介して本体５３に一体化され、それをキャップ５１に設けてサブアッシ化してから、サムターン本体２０にネジで締結することでサムターン１０が構成される。
【００４９】
すなわち、キャップ５１は、円盤状のベース部５１Ａと、このベース部５１Ａの外縁からベース部５１Ａの厚み方向に延出形成された枠部５１Ｂによって構成される。
【００５０】
キャップ５１のベース部５１Ａには、その中心に、円形の開口部５１Ｃが形成されると共に、開口部５１Ｃの周囲には、周方向に略等間隔に４つのネジ孔５１Ｄが形成されている。キャップ５１は、このネジ穴５１Ｄを介して複数の取付ネジ２２（図２参照）によってサムターン本体４１に取り付けられる。また、キャップ５１の枠部５１Ｂの一部には、キャップ５１に収容されるツマミ５０の外形状に合わせて曲面状の凹部５１Ｅが形成されている。
【００５１】
ツマミ５０には長孔５０Ａが形成され、そこに軸５２が遊挿され、ツマミ５０を起倒自在に支持している。軸５２は、同心円的に配置される第１サムターン軸４２，および第２サムターン軸４３の回動中心軸線の延長上に配設される。こうして軸５２が長孔５０Ａに遊挿されることで、後述するツマミ５０の押し込み操作時において、長孔５０Ａに存する遊び分だけ、ツマミ５０を押し込むことができる。そして、軸５２にはトーションスプリング５５（ツマミ付勢部材）が巻装され、ツマミ５０を本体５３に対して起立させた状態から把持する力を取り除くと、トーションスプリング５５により直ちに持ち上げない位置（倒れた状態）へ復帰するように付勢される。
【００５２】
本体５３の中心部には、連結子４４の頂部４４Ｃを受容する十文字形状の透孔（図示されない）が形成され、連結子４４がどのような位置に進退動作（スライド）しても、常に透孔に頂部４４Ｃが挿入している。なお、この透孔は頂部４４Ｃの形状に応じた形状、すなわち、頂部４４Ｃを挿入しうる形状であるなら、一文字形状やその他適宜の形状であってもよいものである。
【００５３】
本体５３の中心部は、キャップの開口部５１Ｃに受容され、止め輪５４により抜け止めされる。これにより、本体５３と一体のツマミ５０は、開口部５１Ｃを中心に相対回動しできるようになっている。もっとも、上記した回動制御手段であるカバー４５により連結子４４の回動が拘束されている場合には、ツマミ５０を回動することはできない構成となっている。
【００５４】
ツマミ５０は、このように構成されているので、ツマミ５０を持ち上げない（倒れた）状態においては、図１３（ａ）に示すように、第１、第２両サムターン軸４２，４３およびサムターンカム３０の回動が制限、ひいては、ツマミ５０の回動操作が制限される操作制限位置を採っている。
【００５５】
この状態からツマミ５０を持ち上げ始めると、ツマミ５０は図１３（ｂ）の状態を経て、同（ｃ）のように略直角に起立させることができる。すなわち、肩部４４Ｂは切り込み４５Ａに係合し、その回動が拘束され、第１サムターン軸４２および第２サムターン軸４３が施錠位置または解錠位置まで回動するのを禁止する施解錠禁止位置の操作モードを採る。
【００５６】
この施解錠禁止位置の操作モードでは、ツマミ５０は連結子４４の頂部４４Ｃに対峙する状態に踏みとどまる。
【００５７】
ツマミ５０の操作可能位置における施解錠禁止位置の操作モードにおいて、図１３（ｄ）に示すように、ツマミ５０をコイルスプリング４４Ｄの付勢力に抗して押し込むと、連結子４４は第２サムターン軸４３内を軸方向に沿って底部側へ後退し、それまで切欠き４５Ａに係合していた肩部４４Ｂが切欠き４５Ａから解脱する。すなわち、クラッチ機構が作動可能な状態（接続状態）となり、施解錠許可位置の操作モードを採ることができる。この状態において、ツマミ５０を押し込みながら回動操作をすると、サムターン軸４２，４３を施錠位置または解錠位置に回動することができる。
【００５８】
ツマミ５０を操作する力を除荷すると、上記とは逆の手順で、図１３（ｄ）の状態からクラッチ機構が切れる同（ｃ）の状態を経て、同（ｂ）から図１３（ａ）に示す状態に復帰するように構成される。
【００５９】
本実施形態は上記のように構成されているので、図１３（ａ）のように、ツマミ５０を持ち上げていない通常状態においては、連結子４４とカバー４５との相対位置関係は図１０（ａ）、（ｂ）に示す状態にある。すなわち、連結子４４の回動はカバー４５により拘束される操作制限位置を採る。
【００６０】
この状態からツマミ５０を軸５２の回りを９０度いっぱいまで持ち上げた場合には、ツマミ５０は操作可能位置を採り、かつ、施解錠禁止位置の操作モードを採ることができる。
【００６１】
この状態でツマミ５０を押し込むと、図１３（ｄ）および図１０（ｃ）のように、連結子４４はカバー４５の切り込み４５Ａから解脱し、カバーの拘束から解放され、施解錠許可位置の操作モードを採ることができる。
【００６２】
この状態でツマミ５０を押し込みながら回すとクラッチ機構が動作して、図１０（ｄ）に示すように、連結子４４を介して第２サムターン軸４３および第２サムターン軸４２を施錠位置または解錠位置へ回動させ、サムターンカム３０を回動することができる。
【００６３】
また、図１１に示すように、錠前側からサムターンカム３０を回動することで、カバー４５に拘束されていた連結子４４の回動が許容され、クラッチ機構が働き、施錠または解錠を行うことができる。
【００６４】
このように本実施形態によれば、コンパクトなクラッチ機構を設けたので、サムターン回しにとっては、困難な操作性を伴うが、ユーザにとっては簡単なツマミ操作で施解錠を行うことができるサムターンを得ることができる。
【００６５】
また、ツマミ付勢部材により、ツマミは常に倒れた状態でキャップ５１に収容されるので、サムターンの外観における見栄えを向上できる。
【００６６】
また、回動位置保持手段により、ツマミを施錠位置から解錠位置へ、また、解錠位置から施錠位置へと回動操作する場合に、中間位置にツマミが停留することはなく、施錠位置か解錠位置のいずれかの位置に節度感をもって位置決め保持されるので、施解錠時における操作フィーリングを向上できる。
【００６７】
また、本実施形態によれば、施錠および解錠の操作性を低下させることなく、不正な解錠を確実に防止できると共に、少ない部品点数で簡単な構成のサムターンを実現でき、さらに、扉１２への装着状態における外観体裁を向上できる。
【００６８】
以上、本発明を実施形態により詳述してきたが、具体的な構成はこの実施形態に限られるものでなく、本発明の要旨を逸脱しない範囲の設計変更等も本発明の範囲に含まれるものである。
【産業上の利用可能性】
【００６９】
本発明は、サムターン回し対策を講じたサムターンの製造に利用できる。
【図面の簡単な説明】
【００７０】
【図１】本実施形態に係るサムターンを扉の室内側に取り付けた様子を示す外観斜視図である。
【図２】図１のサムターンを分解して示した外観組み立て図である。
【図３】（ａ）はサムターン座を前方からみた外観斜視図、（ｂ）はサムターン座を後方からみた外観斜視図である。
【図４】（ａ）はサムターンカムの正面図、（ｂ）は（ａ）の平面図、（ｃ）は（ａ）の側面図である。
【図５】図１のサムターンの外観正面図である。
【図６】図５のＡ線における矢視平断面図である。
【図７】図６のＢ線における矢視横断面図である。
【図８】図６のＣ線における矢視横断面図である。
【図９】（ａ）はサムターン本体を前方からみた外観斜視図、（ｂ）は同じく後方からみた外観斜視図である。
【図１０】クラッチ機構の動作説明に係り、（ａ）は通常状態における側面図、（ｂ９は同じく通常状態の外観図、（ｃ）はツマミを押し込んだ状態の外観図、（ｄ）はツマミを押し込みながら回した状態の外観図である。
【図１１】同じく、錠前（シリンダ）側を回した場合のクラッチ機構の動作を説明する外観説明図である。
【図１２】（ａ）はキャップを前方からみた外観斜視図、（ｂ）は同じく後方からみた外観斜視図である。
【図１３】ツマミとクラッチ機構との動作説明に係り、（ａ）はツマミを持ち上げていない状態、（ｂ）はツマミを持ち上げ始めた状態、（ｃ）はツマミを９０度いっぱいまで回した状態、（ｄ）はツマミを押し込んだ状態をそれぞれ示す外観説明図である。
【符号の説明】
【００７１】
１０  サムターン
１２  扉
１４  デッドボルト
２０  サムターン座
３０  サムターンカム
４０  駆動部
４１  サムターン本体
４２  第１サムターン軸
４２Ａ  カム穴
４２Ｃ  内周
４３  第２サムターン軸
４３Ｃ  コイルスプリング
４３Ｄ  コロ
４４  連結子
４４Ａ  カムピン
４４Ｂ  肩部
４４Ｃ  頂部
４５  カバー
４５Ａ  切欠き
５０  ツマミ
５１  キャップ
５２  軸
５３  本体
【図１】
0005050173.tif 000002
【図２】
0005050173.tif 000003
【図３】
0005050173.tif 000004
【図４】
0005050173.tif 000005
【図５】
0005050173.tif 000006
【図６】
0005050173.tif 000007
【図７】
0005050173.tif 000008
【図８】
0005050173.tif 000009
【図９】
0005050173.tif 000010
【図１０】
0005050173.tif 000011
【図１１】
0005050173.tif 000012
【図１２】
0005050173.tif 000013
【図１３】
0005050173.tif 000014